(57)【要約】【課題】着信音を聞くことによって、電子メールに込められた発信者のメッセージの概要を、簡単に、かつ迅速に知り、高い利便性を得る。【解決手段】主制御部１６は、感情認識部２１に、感情情報抽出処理を実行させて、電子メールを構成するテキストデータに基づいて、感情情報を抽出させる。次に、主制御部１６は、音声合成部２３に、編曲処理を実行させて、抽出された感情情報に基づいて、着信音を編曲させ、編曲されて着信音を音声出力部１１に出力させる。ユーザは、メール着信時に、感情情報に基づいて編曲された着信音を聞くことによって、発信者を知ると共に、電子メールに込められた発信者のメッセージの概要を、直感的に、かつ迅速に知ることができる。【選択図】図１
2007258992.tif 000002
【特許請求の範囲】
【請求項１】
ネットワークを介して所定の送信者端末から電子メールを受信した際に、予め設定された着信音を出力して、前記所定の送信者端末からの電子メールが届いた旨を知らせる機能を備えてなる通信端末であって、
受信した前記電子メールの内容から、如何なる情緒の電子メールであるかを認識し、当該認識結果に基づいて、予め設定された前記着信音に対して変調又は編集し、変調又は編集された着信音を出力するメール着信音編集手段を備えてなることを特徴とする着信音編集機能を備えた通信端末。
【請求項２】
前記メール着信音編集手段は、前記電子メールの内容から、送信者の感情に係る情報を抽出する感情情報抽出手段と、抽出された感情情報に基づいて、前記着信音を編曲する編曲手段と、編曲された前記着信音を出力する着信音出力手段とを有してなる
ことを特徴とする請求項１記載の着信音編集機能を備えた通信端末。
【請求項３】
感情情報に対応付けられて、編集前の元着信音に対する編曲情報を記憶した編曲情報記憶手段を有し、前記編曲手段は、前記感情情報抽出手段によって抽出された感情情報に基づいて、該感情情報に対応する前記編曲情報を前記編曲情報記憶手段から検索して取得する編曲情報取得手段と、前記編曲情報に基づいて前記元着信音を編曲して編曲済み着信音として合成する音声合成手段とを有することを特徴とする請求項２記載の着信音編集機能を備えた通信端末。
【請求項４】
前記編曲手段は、所定の設定操作によって、感情情報に対応付けて、前記元着信音に対する前記編曲情報を生成する編曲情報生成手段を有することを特徴とする請求項３記載の着信音編集機能を備えた通信端末。
【請求項５】
前記編曲情報生成手段は、前記編曲情報を、複数の音楽的特徴量について、それぞれ、予め提示された複数の指標情報のうちの１つの選択された指標情報の組合せとして生成することを特徴とする請求項４記載の着信音編集機能を備えた通信端末。
【請求項６】
前記編曲手段は、前記編曲情報に基づいて、前記各指標情報に対応するパラメータの設定値を求めるパラメータ設定値生成手段を有し、前記音声合成手段は、前記設定値に基づいて、前記元着信音を編曲することを特徴とする請求項５記載の着信音編集機能を備えた通信端末。
【請求項７】
前記音楽的特徴量は、着信音の少なくとも音圧、音域、強弱、テンポを含むことを特徴とする請求項５又は６記載の着信音編集機能を備えた通信端末。
【請求項８】
前記送信者端末又は前記送信者に対応付けて、前記元着信音を記憶した着信音記憶手段を有していることを特徴とする請求項３乃至７のいずれか１に記載の着信音編集機能を備えた通信端末。
【請求項９】
前記感情情報抽出手段は、前記電子メールの内容を単語に分割し、各単語に、単語を分類するタグ情報を対応付け、前記タグ情報のなかから前記感情情報を抽出することを特徴とする請求項２乃至８のいずれか１に記載の着信音編集機能を備えた通信端末。
【請求項１０】
前記メール着信音編集手段は、予め編集された複数種類の着信音のなかから、前記認識結果に基づいて、所定の着信音を選択して出力することを特徴とする請求項１乃至１０のいずれか１に記載の着信音編集機能を備えた通信端末。
【請求項１１】
ネットワークを介して、第１の通信端末と第２の通信端末とが接続され、電子メールの送受信を行うための電子メールシステムであって、
前記第１の通信端末又は／及び前記第２の通信端末として、請求項１乃至１０のいずれか１に記載の着信音編集機能を備えた通信端末が用いられることを特徴とする電子メールシステム。
【請求項１２】
ネットワークを介して所定の送信者端末から電子メールを受信した際に、予め設定された着信音を出力して、前記所定の送信者端末からの電子メールが届いた旨を知らせる電子メール着信通知方法であって、
受信した前記電子メールの内容から、如何なる情緒の電子メールであるかを認識し、当該認識結果に基づいて、予め設定された前記着信音に対して変調又は編集し、変調又は編集された着信音を出力するメール着信音編集ステップを含むことを特徴とする電子メール着信通知方法。
【請求項１３】
前記メール着信音編集ステップは、前記電子メールの内容から、送信者の感情に係る情報を抽出する感情情報抽出ステップと、抽出された感情情報に基づいて、前記着信音を編曲する編曲ステップと、編曲された前記着信音を出力する着信音出力ステップとを含むことを特徴とする請求項１２記載の電子メール着信通知方法。
【請求項１４】
前記編曲ステップは、前記感情情報抽出ステップで抽出された感情情報に基づいて、該感情情報に対応する前記編曲情報を、感情情報に対応付けられて、編集前の元着信音に対する編曲情報を記憶した編曲情報記憶手段から検索して取得する編曲情報取得ステップと、前記編曲情報に基づいて前記元着信音を編曲して編曲済み着信音として合成する音声合成ステップとを含むことを特徴とする請求項１３記載の電子メール着信通知方法。
【請求項１５】
前記編曲ステップは、所定の設定操作によって、感情情報に対応付けて、前記元着信音に対する前記編曲情報を生成する編曲情報生成ステップを含むことを特徴とする請求項１４記載の電子メール着信通知方法。
【請求項１６】
前記編曲情報生成ステップは、前記編曲情報を、複数の音楽的特徴量について、それぞれ、予め提示された複数の指標情報のうちの１つの選択された指標情報の組合せとして生成することを特徴とする請求項１５記載の電子メール着信通知方法。
【請求項１７】
前記編曲ステップは、前記編曲情報に基づいて、前記各指標情報に対応するパラメータの設定値を求めるパラメータ設定値生成ステップを含み、前記音声合成ステップでは、前記設定値に基づいて、前記元着信音を編曲することを特徴とする請求項１６記載の電子メール着信通知方法。
【請求項１８】
前記音楽的特徴量は、着信音の少なくとも音圧、音域、強弱、テンポを含むことを特徴とする請求項１６又は１７記載の電子メール着信通知方法。
【請求項１９】
前記感情情報抽出ステップでは、前記電子メールの内容を単語に分割し、各単語に、単語を分類するタグ情報を対応付け、前記タグ情報のなかから前記感情情報を抽出することを特徴とする請求項１３乃至１８のいずれか１に記載の電子メール着信通知方法。
【請求項２０】
前記メール着信音編集ステップでは、予め編集された複数種類の着信音のなかから、前記認識結果に基づいて、所定の着信音を選択して出力することを特徴とする請求項１２乃至１９のいずれか１に記載の電子メール着信通知方法。
【請求項２１】
コンピュータに請求項１２乃至２０のうちいずれか１に記載の電子メール着信通知方法を実行させることを特徴とする制御プログラム。
【発明の詳細な説明】
【技術分野】
【０００１】
この発明は、着信音編集機能を備えた通信端末、電子メールシステム、電子メール着信通知方法及び制御プログラムに係り、例えば、電子メール着信時の着信音を通信相手別に設定可能な携帯電話機等の着信音編集機能を備えた通信端末、電子メールシステム、電子メール着信通知方法及び制御プログラムに関する。
【背景技術】
【０００２】
近年、移動中や外出先でも使用可能であるという高い利便性によって、携帯端末としての携帯電話機が広く普及してきている。携帯電話機は、通常、本来の通話機能のほか、例えば電子メールの送受信やインターネットに接続してホームページの閲覧が可能なデータ通信機能を有している。
電子メールは、既存の通信手段としての郵便や電話等に比べて、速報性及び同報性を同時に満たし、ファクシミリ等に比べて、携帯電話機を用いた場合には、移動中でも通信が可能であるなど、高い利便性や手軽さも得られる。
【０００３】
携帯電話機においては、着信時には、リンガ発生器からの着信音の出力や、着信通知ランプの点滅、バイブレータの振動等によって、着信したことをユーザに知らせるようにされている（例えば、特許文献１、特許文献２等参照。）。
また、近年は、ユーザがオリジナル着信音（着信メロディ音）を自作し、さらに、着信音を発信相手として予想される者毎に設定して、着信時に発信者を識別できるようにもなっている。
【０００４】
このような機能を有する携帯電話機１０１は、図１８に示すように、当該携帯電話機本体の構成各部を制御する制御部１０２と、制御部１０２が実行する処理プログラムや各種データ等を記憶するための記憶部１０３と、アンテナ１０４を介して無線電波の送受信を行い、所定のプロトコルに従って通話やデータ通信を行うために用いられる無線通信部１０５と、液晶表示装置からなり例えば機能設定画面や、待受画面等が表示される表示部１０６と、例えば周囲の風景や人物等を撮影するための電子カメラユニット１０７と、例えば、動画再生時及び着信時に音声を出力する音声出力部１０８と、受話音声出力用スピーカからなる受話部１０９と、ＬＥＤを有し例えば着信時や通話時に発光する発光部１１０と、数字や文字の入力操作等を行うための多数の各種操作キー等からなる操作部１１１と、送話音声を入力するマイクロフォンからなる送話部１１２と、振動によって例えば着信を通知するための振動部１１３とが実装されて概略構成されている。
【０００５】
記憶部１０３に記憶されている電話帳情報は、氏名と、対応する電話番号及び着信通知用のメロディ名とを含んでいる。
制御部１０２は、着信の有無を監視し、着信有りを検知した場合は、発信者を特定し、電話帳情報に基づいて、対応する着信音（着信メロディ音）を選択し、音声出力部を制御して、音声出力部１０８から、所定の発信者からの呼出しを知らせる着信音を出力させる。
これによって、ユーザは、着信したことはもちろん、誰から呼び出しを受けているかも知ることができる。
【０００６】
電子メールを受信した後、所定の操作を行い、電子メール本文を読むことによって、発信者の要件や感情を知ることができる。
なお、従来より、ユーザが電子メール本文を表示させて読まなくても、受信した電子メールを音声合成によって自動的に読み上げる技術が知られており、この際、無味乾燥な表現を避けるために、感情認識エンジンを用いて、電子メール本文の内容を解析し、対応する感情情報を抽出し、抽出した感情情報（喜怒哀楽等）に基づいて、合成音声のピッチやパワー等を変更し、抑揚を持たせるなどして、情緒性を付加する技術が提案されている（例えば、特許文献３等参照。）。
【特許文献１】特開２００２−２４４９８０号公報
【特許文献２】特開２００５−２６９５４１号公報
【特許文献３】特開２００２−０４１４１１号公報
【発明の開示】
【発明が解決しようとする課題】
【０００７】
解決しようとする問題点は、利便性に乏しいという点である。
すなわち、着信音を聞くことによって、発信者を知ることができるものの、メーラを起動させて、キー操作により、メールを開いて本文を読まない限り、電子メール本文に込められた発信者の喜怒哀楽等の感情や要件（趣旨）までは知ることができなかった。
したがって、例えば、相手から返答を待っているような場合で、発信者の感情や意志（返信の場合は、少なくとも肯定的か否定的か等）を迅速に知りたくても、メール本文を確認している余裕がないようなときや、一時に連続して多数の返信を受けるようなときに、ユーザにとって操作が煩雑で不便であった。
【０００８】
なお、特許文献１には、電子メールのタイトルに応じて、転送メール、返信メール、又は新規メールを判定し、電子メールの種類に応じて、着信音を変更する技術が開示され、特許文献２には、通話で発信者側の端末で、発信者の状況に応じて、受信側の端末で着信音が変更されるように、予め決められたパラメータ指定情報を送信する技術が開示されているが、いずれの技術を応用しても、電子メール本文の内容について、例えば、発信者の感情や要件（趣旨）まで詳しくは知ることができない。
【０００９】
この発明は、上述の事情に鑑みてなされたもので、例えば、着信音を聞くことによって、電子メールに込められた発信者のメッセージの概要を、簡単に、かつ迅速に知り、高い利便性を得ることができる着信音編集機能を備えた通信端末、電子メールシステム、電子メール着信通知方法及び制御プログラムを提供することを目的としている。
【課題を解決するための手段】
【００１０】
上記課題を解決するために、請求項１記載の発明は、ネットワークを介して所定の送信者端末から電子メールを受信した際に、予め設定された着信音を出力して、上記所定の送信者端末からの電子メールが届いた旨を知らせる機能を備えてなる通信端末に係り、受信した上記電子メールの内容から、如何なる情緒の電子メールであるかを認識し、当該認識結果に基づいて、予め設定された上記着信音に対して変調又は編集し、変調又は編集された着信音を出力するメール着信音編集手段を備えてなることを特徴としている。
【００１１】
また、請求項２記載の発明は、請求項１記載の着信音編集機能を備えた通信端末に係り、上記メール着信音編集手段は、上記電子メールの内容から、送信者の感情に係る情報を抽出する感情情報抽出手段と、抽出された感情情報に基づいて、上記着信音を編曲する編曲手段と、編曲された上記着信音を出力する着信音出力手段とを有してなることを特徴としている。
【００１２】
また、請求項３記載の発明は、請求項２記載の着信音編集機能を備えた通信端末に係り、感情情報に対応付けられて、編集前の元着信音に対する編曲情報を記憶した編曲情報記憶手段を有し、上記編曲手段は、上記感情情報抽出手段によって抽出された感情情報に基づいて、該感情情報に対応する上記編曲情報を上記編曲情報記憶手段から検索して取得する編曲情報取得手段と、上記編曲情報に基づいて上記元着信音を編曲して編曲済み着信音として合成する音声合成手段とを有することを特徴としている。
【００１３】
また、請求項４記載の発明は、請求項３記載の着信音編集機能を備えた通信端末に係り、上記編曲手段は、所定の設定操作によって、感情情報に対応付けて、上記元着信音に対する上記編曲情報を生成する編曲情報生成手段を有することを特徴としている。
【００１４】
また、請求項５記載の発明は、請求項４記載の着信音編集機能を備えた通信端末に係り、上記編曲情報生成手段は、上記編曲情報を、複数の音楽的特徴量について、それぞれ、予め提示された複数の指標情報のうちの１つの選択された指標情報の組合せとして生成することを特徴としている。
【００１５】
また、請求項６記載の発明は、請求項５記載の着信音編集機能を備えた通信端末に係り、上記編曲手段は、上記編曲情報に基づいて、上記各指標情報に対応するパラメータの設定値を求めるパラメータ設定値生成手段を有し、上記音声合成手段は、上記設定値に基づいて、上記元着信音を編曲することを特徴としている。
【００１６】
また、請求項７記載の発明は、請求項５又は６記載の着信音編集機能を備えた通信端末に係り、上記音楽的特徴量は、着信音の少なくとも音圧、音域、強弱、テンポを含むことを特徴としている。
【００１７】
また、請求項８記載の発明は、請求項３乃至７のいずれか１に記載の着信音編集機能を備えた通信端末に係り、上記送信者端末又は上記送信者に対応付けて、上記元着信音を記憶した着信音記憶手段を有していることを特徴としている。
【００１８】
また、請求項９記載の発明は、請求項２乃至８のいずれか１に記載の着信音編集機能を備えた通信端末に係り、上記感情情報抽出手段は、上記電子メールの内容を単語に分割し、各単語に、単語を分類するタグ情報を対応付け、上記タグ情報のなかから上記感情情報を抽出することを特徴としている。
【００１９】
また、請求項１０記載の発明は、請求項１乃至１０のいずれか１に記載の着信音編集機能を備えた通信端末に係り、上記メール着信音編集手段は、予め編集された複数種類の着信音のなかから、上記認識結果に基づいて、所定の着信音を選択して出力することを特徴としている。
【００２０】
また、請求項１１記載の発明は、ネットワークを介して、第１の通信端末と第２の通信端末とが接続され、電子メールの送受信を行うための電子メールシステムに係り、上記第１の通信端末又は／及び上記第２の通信端末として、請求項１乃至１０のいずれか１に記載の着信音編集機能を備えた通信端末が用いられることを特徴としている。
【００２１】
また、請求項１２記載の発明は、ネットワークを介して所定の送信者端末から電子メールを受信した際に、予め設定された着信音を出力して、上記所定の送信者端末からの電子メールが届いた旨を知らせる電子メール着信通知方法に係り、受信した上記電子メールの内容から、如何なる情緒の電子メールであるかを認識し、当該認識結果に基づいて、予め設定された上記着信音に対して変調又は編集し、変調又は編集された着信音を出力するメール着信音編集ステップを含むことを特徴としている。
【００２２】
また、請求項１３記載の発明は、請求項１２記載の電子メール着信通知方法に係り、上記メール着信音編集ステップは、上記電子メールの内容から、送信者の感情に係る情報を抽出する感情情報抽出ステップと、抽出された感情情報に基づいて、上記着信音を編曲する編曲ステップと、編曲された上記着信音を出力する着信音出力ステップとを含むことを特徴としている。
【００２３】
また、請求項１４記載の発明は、請求項１３記載の電子メール着信通知方法に係り、上記編曲ステップは、上記感情情報抽出ステップで抽出された感情情報に基づいて、該感情情報に対応する上記編曲情報を、感情情報に対応付けられて、編集前の元着信音に対する編曲情報を記憶した編曲情報記憶手段から検索して取得する編曲情報取得ステップと、上記編曲情報に基づいて上記元着信音を編曲して編曲済み着信音として合成する音声合成ステップとを含むことを特徴としている。
【００２４】
また、請求項１５記載の発明は、請求項１４記載の電子メール着信通知方法に係り、上記編曲ステップは、所定の設定操作によって、感情情報に対応付けて、上記元着信音に対する上記編曲情報を生成する編曲情報生成ステップを含むことを特徴としている。
【００２５】
また、請求項１６記載の発明は、請求項１５記載の電子メール着信通知方法に係り、上記編曲情報生成ステップは、上記編曲情報を、複数の音楽的特徴量について、それぞれ、予め提示された複数の指標情報のうちの１つの選択された指標情報の組合せとして生成することを特徴としている。
【００２６】
また、請求項１７記載の発明は、請求項１６記載の電子メール着信通知方法に係り、上記編曲ステップは、上記編曲情報に基づいて、上記各指標情報に対応するパラメータの設定値を求めるパラメータ設定値生成ステップを含み、上記音声合成ステップでは、上記設定値に基づいて、上記元着信音を編曲することを特徴としている。
【００２７】
また、請求項１８記載の発明は、請求項１６又は１７記載の電子メール着信通知方法に係り、上記音楽的特徴量は、着信音の少なくとも音圧、音域、強弱、テンポを含むことを特徴としている。
【００２８】
また、請求項１９記載の発明は、請求項１３乃至１８のいずれか１に記載の電子メール着信通知方法に係り、上記感情情報抽出ステップでは、上記電子メールの内容を単語に分割し、各単語に、単語を分類するタグ情報を対応付け、上記タグ情報のなかから上記感情情報を抽出することを特徴としている。
【００２９】
また、請求項２０記載の発明は、請求項１２乃至１９のいずれか１に記載の電子メール着信通知方法に係り、上記メール着信音編集ステップでは、予め編集された複数種類の着信音のなかから、上記認識結果に基づいて、所定の着信音を選択して出力することを特徴としている。
【００３０】
また、請求項２１記載の発明に係る制御プログラムは、コンピュータに請求項１２乃至２０のうちいずれか１に記載の電子メール着信通知方法を実行させることを特徴としている。
【発明の効果】
【００３１】
この発明の構成によれば、メール着信音編集手段が、受信した電子メールの内容から、如何なる情緒の電子メールであるかを認識し、認識結果に基づいて、予め設定された着信音に対して変調又は編集し、変調又は編集された着信音を出力するので、例えば、着信音を聞くことによって、電子メールに込められた発信者のメッセージの概要を、簡単に、かつ迅速に知ることができ、高い利便性を得ることができる。
【発明を実施するための最良の形態】
【００３２】
メール着信音編集手段が、受信した電子メールの内容から、如何なる情緒の電子メールであるかを認識し、認識結果に基づいて、予め設定された着信音に対して変調又は編集し、変調又は編集された着信音を出力することによって、例えば、着信通知用着信音を聞いて、電子メールに込められた発信者のメッセージの概要を、簡単に、かつ迅速に知り、高い利便性を得るという目的を実現した。
【実施例１】
【００３３】
図１は、この発明の第１の実施例である携帯電話機の構成を示すブロック図、図２は、同携帯電話機を含む電子メールシステムの構成を示す図、図３は、同電子メールシステムの構成を説明するための説明図、図４は、同携帯電話機の主要部の構成を示すブロック図、図５は、同携帯電話機の記憶部の電話帳情報記憶部の構成を示す図、図６は、同記憶部の編曲情報テーブル記憶部の構成を示す図、図７は、同記憶部の感情情報テーブル記憶部の構成を示す図、図８は、同電子メールシステムの通信管理センタの構成を示すブロック図、図９及び図１０は、同携帯電話機の動作を説明するためのフローチャート、また、図１１及び図１２は、同携帯電話機の動作を説明するための説明図である。
【００３４】
この例の電子メールシステム１は、図２及び図３に示すように、ユーザＡ，Ｂ，…が用いる携帯電話機２ａ，２ｂ，…と、携帯電話機２ａ，２ｂ，…が接続可能な移動通信網３とを備えてなり、移動通信網３は、移動通信事業者Ｘが管理する通信管理センタ４を介して、インターネット５に接続可能とされている。
例えば、携帯電話機２ｂ（２ｃ，２ｄ，…）から送信されたユーザＡ宛ての電子メールは、通信管理センタ４を経由し、最寄の基地局を介して携帯電話機２ａに供給される。
【００３５】
この例の携帯電話機２ａ（２ｂ，２ｃ，…）は、折畳可能な筐体を備えると共に、本来の通話機能のほか、例えば電子メールの送受信やインターネットに接続してホームページの閲覧が可能なデータ通信機能を有し、図１に示すように、上部ユニット７と下部ユニット８とが、折畳可能なようにヒンジ部で相互に結合されて構成されている。
【００３６】
上部ユニット７は、図１及び図４に示すように、折畳可能な扁平な筐体を構成する上部筐体に、スピーカからなり、例えば、動画の再生時及び着信時に音声を出力する音声出力部１１と、受話音声出力用スピーカからなる受話部１２と、液晶表示装置からなり例えば機能設定画面や、待受画面等が表示される表示部１３と、ＬＥＤを有し例えば着信時や通話時に発光する発光部１４と、例えば周囲の風景や人物等を撮影するための電子カメラユニット１５とが実装されて概略構成されている。
【００３７】
下部ユニット８は、図１及び図４に示すように、折畳可能な扁平な筐体を構成する下部筐体に、当該携帯電話機本体の構成各部を制御する主制御部１６と、主制御部１６が実行する処理プログラムや各種データ等を記憶するための記憶部１７と、アンテナ１８を介して無線電波の送受信を行い、所定のプロトコルに従って通話やデータ通信を行うために用いられる無線通信部１９と、受信した電子メールのテキストデータから感情情報を抽出するための感情認識エンジンとしての感情認識部２１と、設定された編集情報に対応した音声合成パラメータを生成する音声合成パラメータ生成部２２と、元着信音を編集情報に応じて編曲する音声合成部２３と、数字や文字の入力操作等を行うための多数の各種操作キー等からなる操作部２４と、送話音声を入力するマイクロフォンからなる送話部２５と、振動によって例えば着信を通知するための振動部２６とが実装されて概略構成されている。
【００３８】
主制御部１６は、ＣＰＵ（中央処理装置）等を有してなり、記憶部１７に記憶された各種処理プログラムを実行し、記憶部１７に確保された各種レジスタやフラグを用いて、構成各部を制御し、通信制御処理や、メール着信通知制御処理、着信音編集設定操作制御処理等を実行する。
ここで、メール着信通知制御処理は、着信音選定処理と、感情認識制御処理と、編曲情報選択処理と、音声合成制御処理と、編曲済着信音出力処理とを含んでいる。
また、着信音編集設定操作制御処理は、設定画面表示制御処理と、感情パターン毎に編曲情報を設定する編曲情報設定処理と、音声合成パラメータ生成制御処理と、仮編曲済着信音出力処理と、確定された設定内容を登録する感情テーブル登録処理とを含んでいる。
【００３９】
主制御部１６は、メール着信通知制御処理のうち、着信音選定処理では、電子メール着信時に、通信相手に対応した着信音（元着信音）を検索し選定する。ここで、主制御部１６は、電話帳情報記憶部２９に、通信相手が登録され、かつ、着信音が指定されている場合には、この指定着信音を選定し、通信相手が登録されていない場合や、登録されていても着信音が指定されていない場合には、予め決められた通常着信音を選定する。
また、主制御部１６は、感情認識制御処理では、感情認識部２１に、電子メールのテキストデータを渡し、感情認識処理を実行させて、感情情報を得る。
【００４０】
また、主制御部１６は、編曲情報選択処理では、感情認識部２１から得た感情情報に対応する編曲情報（音声合成パラメータ）を、感情情報テーブル記憶部３３に記憶された感情情報テーブルから検索して得る。
また、主制御部１６は、音声合成制御処理では、編曲情報（音声合成パラメータ）を音声合成部２３に渡し、音声合成処理を実行させて、編曲済着信音を得る。
また、主制御部１６は、編曲済着信音出力処理では、編曲済着信音を音声出力部１１に出力させる。
【００４１】
主制御部１６は、着信音編集設定操作制御処理のうち、設定画面表示制御処理では、ユーザによって、操作部２４を介して所定の操作がなされると、表示部１３に感情テーブル設定画面を表示させる（図１１参照）。
また、主制御部１６は、編曲情報設処理では、感情パターン（例えば、「悲しい」、「うれしい」、「怒り」、「楽しい」等）毎に、表示部１３に編曲情報テーブルを表示させて、ユーザの設定操作によって、各音楽的特徴量（例えば、音圧、音域、強弱、テンポ）の程度が設定された編曲情報を得る。
【００４２】
また、主制御部１６は、音声合成パラメータ生成制御処理では、編曲情報を、音声合成パラメータ生成部２２に渡して、音声合成パラメータ生成処理を実行させ、感情パターン毎に、各音楽的特徴量（設定項目）に対応した音声合成パラメータを得る。
また、主制御部１６は、仮編曲済着信音出力処理では、指定された試聴用着信音（元曲）情報と、仮編曲情報（音声合成パラメータ）を音声合成部２３に渡し、音声合成処理を実行させて、編曲済着信音を得て、音声出力部１１に出力させる。
また、主制御部１６は、感情テーブル登録処理では、ユーザによって、操作部２４を介して所定の確定操作がなされると、確定された設定内容を感情情報テーブル記憶部３３に登録する。
【００４３】
記憶部１７は、ＲＯＭ、ＲＡＭ等の半導体メモリ等からなり、制御部１６が実行する各種処理プログラム等が記憶されたプログラム記憶部と、設定情報等の各種情報が記憶された情報記憶部とを有すると共に、この記憶部１７には、制御部１６がプログラム実行時に用いる各種レジスタやフラグが確保されている。
プログラム記憶部には、通信制御処理プログラムや、メール着信通知制御処理プログラム、着信音編集設定操作制御処理プログラム等の各種処理プログラム等が記憶されている。
【００４４】
記憶部１７の情報記憶部は、図４に示すように、通信相手に対応付けられて電話番号や電子メールアドレス、住所、メロディ名、メロディコード等が記憶された電話帳情報記憶部２９と、着信時に出力させる複数の着信音（元着信音）が記憶されたメロディ情報記憶部３１と、編曲情報が記憶された編曲情報テーブル記憶部３２と、感情パターンに対応付けられて編曲情報と音声合成パラメータが記憶された感情情報テーブル記憶部３３とを有している。
電話帳情報記憶部２９には、図５に示すように、通信相手の氏名に対応付けられて電話番号や電子メールアドレス、住所、メロディ名、メロディコードが記憶されている。
メロディ情報記憶部３１には、メロディ情報として、編曲前の着信音（元着信音）のほか、編曲済の着信音が記憶される。
【００４５】
編曲情報テーブル記憶部３２には、図６に示すように、編曲情報として、例えば、音圧、音域、強弱、テンポ等に関する設定項目が記憶されている。
感情情報テーブル記憶部３３には、図７に示すように、感情パターン（例えば、「悲しい」、「うれしい」、「怒り」、「楽しい」等の単一の情報）に対応付けられて、設定された編曲情報（感情パターンに応じて、音圧、音域、強弱、テンポの大きさ等が設定された情報の組合せ）と、音声合成パラメータ（編曲情報に応じて生成されたＨｃｈ（high channel）、Ｍｃｈ（middle channel）、Ｌｃｈ（low channel）、テンポ等の設定値の組合せ）が記憶されている。
情報記憶部には、このほかに、通信履歴情報や、文字メッセージ情報、音声付き動画ファイル等の各種情報が記憶される。
【００４６】
感情認識部２１は、例えば、受信した電子メールのテキストデータを単語に分け、分類のためのタグ情報を付加して、文章の内容を解析する形態素解析処理と、タグ情報から感情情報を抽出する感情情報抽出処理とを実行する。
また、感情認識部２１は、「悲しい」、「うれしい」等の感情ワード（情緒ワード）が記述されていなくても、前後の単語や文面から、感情情報を抽出する。例えば、「明日は待ちに待った遠足の日です。晴れるといいな。」という電子メール本文に基づいて、「待ちに待った」から「うれしい」という感情情報を抽出する。
音声合成パラメータ生成部２２は、感情パターンに応じて設定された音圧、音域、強弱、テンポの大きさの組合せに適合するように、パラメータとしてのＨｃｈ、Ｍｃｈ、Ｌｃｈ、テンポの設定値の組合せを求める。
音声合成部２３は、元着信音を編集情報に対応した音声合成パラメータに基づいて編曲して、編曲済み着信音として合成する。
【００４７】
無線通信部１９は、ＲＦ回路や、変復調回路、ベースバンド処理回路等からなり、音声やデータを変調してアンテナ１８を介して無線電波として送信すると共に、無線電波をアンテナ１９を介して受信して音声やデータに復調し、所定のプロトコルに従って通話やデータ通信を行うために用いられる。
操作部２４は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、表示部１３に表示された表示画面上のカーソルを上下左右方向へ移動させるためのカーソルキーと、例えば数字等を入力するためのテンキー群とを有している。
【００４８】
通信管理センタ４は、図８に示すように、ユーザ情報等を管理する情報管理サーバ３５と、例えば携帯端末２ａ（２ｂ，２ｃ，…）から送信されてきた電子メールや携帯端末２ａ（２ｂ，２ｃ，…）へ送信された電子メールを蓄積し管理するメールサーバ３６と、移動通信網３を例えばインターネット５に接続するための接続処理サーバ３７とを有している。
情報管理サーバ３５（メールサーバ３６、接続処理サーバ３７）は、ＣＰＵ等からなり、記憶部に記憶された所定の制御プログラムに従って構成各部を制御する制御部と、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなり、各種プログラムやデータが記憶される記憶部と、所定のプロトコルに従ってデータ通信を行うための通信部と、例えばキーボードやマウス等からなり、各種の指令や必要な情報を入力するために用いられる操作部とを有している。
情報管理サーバ３５の記憶部には、各携帯端末２ａ（２ｂ，２ｃ，…）の現在位置情報や、各ユーザＡ（Ｂ，Ｃ，…）の加入者番号及び課金情報を含むユーザ情報等が常時更新された状態で記憶されている。
【００４９】
次に、図９乃至１２を参照して、上記構成の携帯電話機２ａの動作について説明する。
例として、携帯端末２ａへ、他の携帯端末２ｂ，２ｃ，…から電子メールが送信される場合について説明する。
ユーザＡは、予め、表示部１３に設定画面を表示させ、感情テーブルを設定しておく。
電源投入後、この例の携帯電話機２ａの主制御部１６は、操作者による入力操作や着信を待機する待受けモードに入る。
主制御部１６は、ユーザによって、操作部２４を介して設定画面表示のための所定の操作がなされ、設定画面表示操作有りと判断すると（ステップＳＡ１１（図９））、ステップＳＡ１２で、図１１に示すように、表示部１３に感情テーブル設定画面を表示させる（ステップＳＡ１２）。
【００５０】
次に、主制御部１６は、複数の感情パターン（例えば、「悲しい」、「うれしい」、「怒り」、「楽しい」等）のうちの１つが選択されると（ステップＳＡ１３）、表示部１３に、図６に示すような編曲情報テーブルを表示させる。
この編曲情報テーブルは、音楽的特徴量（設定項目、この例では、音圧、音域、強弱、テンポ）毎に、それぞれ、複数の指標情報が提示されている。指標情報としては、例えば、音圧では、「高い」、「やや高い」、「普通」、「やや低い」、「低い」が提示される。
次に、主制御部１６は、ユーザの設定操作によって、各音楽的特徴量（この例では、音圧、音域、強弱、テンポ）について、それぞれ、１つの指標情報が選択されると、選択された指標情報の組合せとして、編曲情報を得る（ステップＳＡ１４）。これによって、各音楽的特徴量の程度（強さや高低、速さ等）が仮設定される。
次に、主制御部１６は、設定された編曲情報を、音声合成パラメータ生成部２２に渡して、音声合成パラメータ生成処理を実行させ、感情パターン毎に、各音楽的特徴量に対応した音声合成パラメータを得る（ステップＳＡ１５）。
【００５１】
音声合成パラメータ生成部２２は、感情パターンに応じて設定された音圧、音域、強弱、テンポの程度の組合せに適合するように、パラメータとしてのＨｃｈ、Ｍｃｈ、Ｌｃｈ、テンポの設定値の組合せを求める。
次に、主制御部１６は、ユーザの設定操作によって、試聴用着信音を選択する（ステップＳＡ１６）。
次に、主制御部１６は、選択された試聴用着信音（元着信音）情報と、仮編曲情報としての音声合成パラメータを音声合成部２３に渡し、音声合成処理を実行させて、編曲済着信音を得て、音声出力部１１に出力させる（ステップＳＡ１７）。音声合成部２３は、元着信音に音声合成パラメータを付加して、編曲済み着信音として合成する。
【００５２】
次に、ステップＳＡ１８で、ユーザによる試聴後、ユーザが了承して、確定操作がなされた場合は、主制御部１６は、ステップＳＡ１９へ進み、ユーザが了承せず、未確定の場合は、ステップＳＡ１４へ戻って、再設定を行い、この設定処理を確定操作がなされるまで繰り返し実行する。
次に、主制御部１６は、ステップＳＡ１９で、当該感情パターンについて確定された設定内容（感情パターンに対する編曲情報の割当て）を感情情報テーブル記憶部３３に保存する。
次に、主制御部１６は、ステップＳＡ２０で、次設定がある場合、すなわち、他の感情パターンについて設定がある場合は、ステップＳＡ１２へ戻り、次設定無しの場合は、全ての感情パターンについて確定されたものとし、感情情報テーブル記憶部３３に、内容が更新された感情情報テーブルを記憶する（ステップＳＡ２１）。
【００５３】
主制御部１６は、電子メールの着信の有無を監視し（ステップＳＢ１１（図１０））、携帯端末２ｂからメールサーバ３６を介して、無線通信部１９が電子メールを受信し、無線通信部１９から着信信号を受け取り、着信有りを検知した場合は、電話帳情報記憶部２９にアクセスし、通信相手（発信者）を特定し、通信相手に対応した着信音（元着信音）を検索し選定する（ステップＳＢ１２）。
すなわち、主制御部１６は、電話帳情報記憶部２９に、指定された着信音が登録されているか否か調べる（ステップＳＢ１３）。
【００５４】
主制御部１６は、電話帳情報記憶部２９に、通信相手が登録され、かつ、着信音が指定されている場合には、この指定着信音を選定し（ステップＳＢ１４）、通信相手が登録されていない場合や、登録されていても着信音が指定されていない場合には、予め決められた通常着信音を選定し（ステップＳＢ１５）、ステップＳＢ１７へ進む。
ステップＳＢ１７では、主制御部１６は、感情認識部２１に、電子メールのテキストデータを渡し、感情認識処理を実行させて、感情情報を得る。
【００５５】
感情認識部２１は、例えば、受信した電子メールのテキストデータを単語に分け、分類のためのタグ情報を付加して、文章の内容を解析する形態素解析処理と、タグ情報から感情情報を抽出する感情情報抽出処理とを実行する。
感情認識部２１は、例えば、図１２に示すように、「明日は待ちに待った遠足の日です。晴れるといいな。」という電子メール本文に基づいて、「待ちに待った」から「うれしい」という感情情報を抽出する。
次に、主制御部１６は、感情情報テーブル記憶部３３に記憶された感情情報テーブルについて、感情認識部２１によって、テキストデータから抽出された感情情報に、予め記憶された感情パターンに一致するものがあるか否か調べる（ステップＳＢ１８）。
【００５６】
次に、主制御部１６は、ステップＳＢ１９で、該当データ有りと判断した場合には、ステップＳＢ２０へ進み、該当データ無しと判断した場合には、ステップＳＢ２３へ進む。  次に、主制御部１６は、ステップＳＢ２０で、感情情報に対応する編曲情報を選択する。
主制御部１６は、例えば、「うれしい」という感情情報を取得すると、感情情報テーブル記憶部３３に記憶された感情情報テーブルから、「うれしい」に対応させて、「高音でダイナミックに鳴音させる」ための編曲情報を得る。
次に、主制御部１６は、編曲情報（音声合成パラメータ）を音声合成部２３に渡し、音声合成処理を実行させて、編曲済着信音を得る（ステップＳＢ２１）。主制御部１６は、例えば、「高音でダイナミックに鳴音させる」ための編曲情報に対応させて、イコライジングパラメータのＨｃＨと、テンポ情報とを音声合成部２３に渡す。音声合成部２３は、元着信音に音声合成パラメータを付加して、編曲済み着信音として合成する。
【００５７】
次に、主制御部１６は、この編曲済み着信音を着信音として確定し、メロディ情報記憶部３１に記憶させる（ステップＳＢ２２）。
次に、主制御部１６は、元着信音に対して、着信音の強弱や高低、テンポ等が変更された編曲済着信音（着信メロディ音）を音声出力部１１に出力させ、例えば、「うれしい」という感情情報に対応させて、高音でダイナミックに鳴音させる（ステップＳＡ２３）。また、主制御部１６は、同時に振動部２６を振動させる。
なお、以上の説明では、所定の着信音と抽出された感情情報とに基づいて、編集情報を選択して、新しいメロディ情報を合成する場合について述べたが、既に、受信した電子メールの着信音と編集情報との組合せに対応するメロディ情報が編曲済であり、メロディ情報記憶部３１に記憶されている場合には、新めて合成することなく、編曲済のメロディ情報を用いる。
【００５８】
このように、この例の構成によれば、着信音を聞くだけで、着信音の旋律によって、発信者を特定し、かつ、着信音の鳴り方（元着信音に対する変化）によって、電子メールの本文で表現された発信者の感情に係る情報を知ることができる。そして、この感情情報によって、電子メールの本文の内容の少なくとも一部を直感的に推測することができ、高い利便性を得ることができる。
したがって、例えば、相手から返答を待っているような場合で、電子メール本文を確認している余裕がないようなときや、一時に纏まって返信を受けるようなときに、メールテキストを開くことなく、迅速にかつ簡単に相手の感情や意志（少なくとも、肯定的内容か否定的内容か等）を知ることができる。
【００５９】
なお、感情認識部２１によって、例えば、「うれしい」、「悲しい」等の直接的記述がなされていなくても、「待ちに待った」という記述から「うれしい」という感情情報を正確に抽出することができる。
また、感情情報テーブル記憶部３３には、感情パターンに対応付けられて、編曲情報として、例えば、音圧、音域、強弱、テンポ等に関する設定項目が記憶され、携帯電話機２ａ自体の独立した機能として、着信音編集機能を有しているので、場所及び時間を問わず、着信音の編曲を、簡単かつ手軽に行うことができる。
【００６０】
ここで、記憶部１７においては、編曲情報テーブル記憶部３２に記憶された編曲情報テーブルに、音楽的特徴量毎に、それぞれ、予め用意された複数の指標情報が提示されていると共に、予め用意された感情パターン毎に、各音楽的特徴量の指標情報を選択することによって、感情パターン毎に編集情報が設定されて、感情情報テーブル記憶部３３に、感情パターンに対応付けられた編曲情報が感情情報テーブルとして記憶されるので、ユーザにとっての編曲情報の設定のための十分な自由度を確保しつつ、ユーザは、自身の好みや感覚に適合するように、編曲情報を簡単かつ迅速に設定することができる。
すなわち、着信音を自在に調製して、発信者の感情判別や、電子メールの趣旨の直感的な推測を行い易くすることができるので、使い勝手の良い高い利便性を得ることができる。しかも、ユーザは、着信音の編曲操作や、出力される着信音の変化を楽しむことができる。
【実施例２】
【００６１】
図１３は、この発明の第２の実施例である携帯電話機の記憶部の構成を示す図、図１４は、同記憶部のテーブル選択情報部の構成を説明するための説明図、また、図１５乃至図１７は、同記憶部の感情情報テーブル記憶部に記憶された感情情報テーブルの構成を示す図である。
この例が上述した第１の実施例と大きく異なるところは、付加情報を選択することで、簡単に設定可能とした点である。
これ以外の構成は、上述した第１の実施例の構成と略同一であるので、第１の実施例と同一の構成要素については、例えば、図１３において、図４で用いた符号と同一の符号を付し、その説明を簡略にする。
【００６２】
この例の携帯電話機の記憶部４１は、図１３に示すように、電話帳情報記憶部２９と、メロディ情報記憶部３１と、編曲情報テーブル記憶部３２と、感情情報テーブルを選択するためのテーブル選択情報記憶部４２と、予め設定済の複数の感情情報テーブルが記憶された感情情報テーブル記憶部４３とを有している。
テーブル選択情報記憶部４２には、図１４に示すように、着信音の調子（普通、強調、抑え目）が互いに異なる３種類の感情情報テーブル４３ａ，４３ｂ，４３ｃのうちの１つの感情情報テーブル４３ａ（４３ｂ，４３ｃ）が選択可能なように提示され、設定操作に応じて、選択された感情情報テーブルが指示されている。
【００６３】
感情情報テーブル記憶部４３には、図１５乃至図１７に示すように、３種類の感情情報テーブル４３ａ，４３ｂ，４３ｃが記憶されている。
この例では、各感情情報テーブル４３ａ（４３ｂ，４３ｃ）において、感情パターンと、対応する編曲情報（パターンＥ１〜パターンＥ４）とは、第１の実施例の内容と同一とされている。
また、各感情情報テーブル４３ａ（４３ｂ，４３ｃ）は、着信音の調子（普通、強調、抑え目）に応じて、基準音声合成パラメータに対する変化分を示す付加情報と、各音楽的特徴量毎に基準音声合成パラメータに付加情報が付加されて生成された調整済の音声合成パラメータとを含んでいる。
ここで、基準音声合成パラメータや、付加情報は、ユーザが予め設定することによって生成されたものを用いても、製造時に設定してものを用いても良い。
【００６４】
ユーザは、そのときの気分や感情に適合した編曲パターンとなるように、感情情報テーブル４３ａ（４３ｂ，４３ｃ）を選択する。
例えば、「今日は楽しい気分なので、強調された調子にしよう。」と考えたときは、感情情報テーブル４３ｂを選択する。また、例えば、気分が優れないときに、「気持ちを落ち付かせる癒し系の抑えた調子にしよう。」と考えたときは、感情情報テーブル４３ｃを選択する。また、気分の起伏がないときは、付加情報が含まれない感情情報テーブル４３ａを選択する。
【００６５】
主制御部４４は、選択された感情情報テーブル４３ａ（４３ｂ，４３ｃ）の調整済の音声合成パラメータを、音声合成部２３に渡し、音声合成処理を実行させて、編曲済着信音を得る。音声合成部２３は、調整済の元着信音に音声合成パラメータを付加して、ユーザの気分に適合した編曲済み着信音として合成する。
ここで、ユーザによって、感情パターンの追加や、同一種類の感情パターンの細分化等の設定が可能なように構成して、より繊細な表現を行うようにしても良い。
【００６６】
この例の構成によれば、上述した第１の実施例と略同様の効果を得ることができる。
加えて、用意された感情情報テーブルを選択するのみで、編曲情報の設定や変更が可能であるので、設定操作に熟達していないユーザにとっても、簡単に編曲情報の設定を行うことができる。
また、ユーザは、例えば、自分が設定した複数の感情情報テーブルのなかから、所望の感情情報テーブルを選択して、そのときの気分や感情に適合した編曲パターンで着信音を聞くことができる。例えば、気分を害しているときに、気持ちを逆なでするような着信音の出力を避けることができる。したがって、ユーザの好みや感覚に一段と適合させることができる。
【実施例３】
【００６７】
この例が上述した第１の実施例と大きく異なるところは、電子メールのテキストに複数種の感情情報が含まれる場合に電子メールの本文の全体の趣旨を推定可能なように構成した点である。
これ以外の構成は、上述した第１の実施例の構成と略同一であるので、その説明を簡略にする。
【００６８】
この例の携帯電話機では、主制御部は、電子メールのテキストに複数種の感情情報が含まれる場合に、頻度の高い感情情報を主たる感情情報と推定する。
この例の感情認識部は、例えば、受信した電子メールのテキストデータを単語に分け、分類のためのタグ情報を付加して、文章の内容を解析する形態素解析処理と、タグ情報から感情情報を抽出する感情情報抽出処理と、最多頻度の感情情報を主たる感情情報と推定する趣旨推定処理とを実行する。
【００６９】
この例の構成によれば、上述した第１の実施例と略同様の効果を得ることができる。
加えて、電子メールの本文が比較的複雑であっても、感情情報を正確に抽出し、主たる感情情報を推定することができる。
【実施例４】
【００７０】
この例が上述した第１の実施例と大きく異なるところは、着信音毎に感情テーブルを設定可能なように構成した点である。
これ以外の構成は、上述した第１の実施例の構成と略同一であるので、その説明を省略する。
【００７１】
この例の構成によれば、上述した第１の実施例と略同様の効果を得ることができる。
加えて、着信音の編曲で、一段と繊細な表現を行うことができる。
【実施例５】
【００７２】
この例が上述した第１の実施例と大きく異なるところは、感情テーブルを設定する際に、複数の着信音について連続して試聴可能なように構成した点である。
これ以外の構成は、上述した第１の実施例の構成と略同一であるので、その説明を省略する。
【００７３】
この例の構成によれば、上述した第１の実施例と略同様の効果を得ることができる。
加えて、比較的頻繁に用いられる着信音が複数ある場合に、編曲情報の設定し忘れを防止することができる。
【００７４】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、例えば、感情認識処理や、音声合成処理等を、それぞれ、独立したハードウェアで実行する場合について述べたが、例えば、感情認識処理や、音声合成処理等を、主制御部が、対応する制御プログラムを実行することによって行うようにしても良い。
また、一部又は全部を専用のハードウェアを用いて行い、一部を対応するプログラムを実行して処理するようにしても良い。
また、感情認識処理や、音声合成処理の一部を専用のハードウェアを用いて行い、一部を主制御部が対応するプログラムを実行して処理するようにしても良い。
【００７５】
また、ネットワークとして、移動通信網を用いて、この移動通信網を経由して、電子メールの送受信を行う場合について述べたが、もちろん、固定網を含めた場合にも、また、固定網のみの場合にも適用できるし、インターネットに接続する場合にも、接続しない場合にも適用できる。また、公衆回線に限らず、専用回線を含む場合にも適用できる。
また、メールサーバは、単数とは限らず複数設けても良いし、また、集中させて配置しても、ネットワーク上に分散させて配置しても良い。
また、編曲情報として、音色や、和音（ハーモニ）等を追加しても良い。また、感情認識処理で、通常の単語だけでなく、絵文字等も感情認識の対象としても良い。
【００７６】
また、電子メールの作成及び送受信のために用いられるプログラムとしてのメーラが、通常の電子メールの作成や送受信のための処理プログラムに加えて、メール着信通知制御処理プログラム等を含むように構成しても良い。
また、着信音は、ネットワークを介してダウンロードされたものでも、製造時に用意されたものでも良い。
また、試聴用の着信音については、ユーザの選択によらなくても、自動的に通常着信音を選択するようにしても良い。
また、電子メールとして、狭義の電子メールのほか、ショートメッセージや、インスタントメッセージ等を受信する場合に適用できる。
【００７７】
また、第３の実施例で、電子メールのテキストに複数種の感情情報が含まれる場合に、頻度の高い感情情報を主たる感情情報と推定する場合について述べたが、複数種の感情情報に対応する編曲情報を複数選択し、それぞれの編曲情報に対応するメロディの出力時間を、例えばその重要度に応じて変化させるように構成しても良い。
【産業上の利用可能性】
【００７８】
携帯端末としては、携帯電話機のほか、着信通知機能を有する簡易型携帯電話（ＰＨＳ）端末や、携帯情報端末（ＰＤＡ）、携帯型のコンピュータを用いる場合に適用できる。また、通信端末としては、携帯端末のほか、据置型のパーソナルコンピュータ等を用いる場合に適用できる。
【図面の簡単な説明】
【００７９】
【図１】この発明の第１の実施例である携帯電話機の構成を示すブロック図である。
【図２】同携帯電話機を含む電子メールシステムの構成を示す図である。
【図３】同電子メールシステムの構成を説明するための説明図である。
【図４】同携帯電話機の主要部の構成を示すブロック図である。
【図５】同携帯電話機の記憶部の電話帳情報記憶部の構成を示す図である。
【図６】同記憶部の編曲情報テーブル記憶部の構成を示す図である。
【図７】同記憶部の感情情報テーブル記憶部の構成を示す図である。
【図８】同電子メールシステムの通信管理センタの構成を示すブロック図である。
【図９】同携帯電話機の動作を説明するためのフローチャートである。
【図１０】同携帯電話機の動作を説明するためのフローチャートである。
【図１１】同携帯電話機の動作を説明するための説明図である。
【図１２】同携帯電話機の動作を説明するための説明図である。
【図１３】この発明の第２の実施例である携帯電話機の記憶部の構成を示す図である。
【図１４】同記憶部のテーブル選択情報部の構成を説明するための説明図である。
【図１５】同記憶部の感情情報テーブル記憶部に記憶された感情情報テーブルの構成を示す図である。
【図１６】同記憶部の感情情報テーブル記憶部に記憶された感情情報テーブルの構成を示す図である。
【図１７】同記憶部の感情情報テーブル記憶部に記憶された感情情報テーブルの構成を示す図である。
【図１８】従来技術を説明するための説明図である。
【符号の説明】
【００８０】
１      電子メールシステム
２ａ，２ｂ，…      携帯電話機（着信音編集機能を備えた通信端末）
３      移動通信網（ネットワーク）
１１      音声出力部（着信音出力手段）
１６，４４      主制御部（メール着信音編集手段、編曲手段の一部、編曲情報取得手段、編曲情報生成手段）
１７，４１      記憶部
２１      感情認識部（感情情報抽出手段）
２２      音声合成パラメータ生成部（編曲手段の一部、パラメータ設定値生成手段）
２３      音声合成部（編曲手段の一部、音声合成手段）
３１      メロディ情報記憶部（着信音記憶手段）
３２      編曲情報テーブル記憶部（編曲情報記憶手段）
３３，４３      感情情報テーブル記憶部
【図１】
2007258992.tif 000003
【図２】
2007258992.tif 000004
【図３】
2007258992.tif 000005
【図４】
2007258992.tif 000006
【図５】
2007258992.tif 000007
【図６】
2007258992.tif 000008
【図７】
2007258992.tif 000009
【図８】
2007258992.tif 000010
【図９】
2007258992.tif 000011
【図１０】
2007258992.tif 000012
【図１１】
2007258992.tif 000013
【図１２】
2007258992.tif 000014
【図１３】
2007258992.tif 000015
【図１４】
2007258992.tif 000016
【図１５】
2007258992.tif 000017
【図１６】
2007258992.tif 000018
【図１７】
2007258992.tif 000019
【図１８】
2007258992.tif 000020